(57)【特許請求の範囲】
【請求項１】
揮散剤収容器と、前記揮散剤収容器に収容されているゲル状の揮散剤と、を備え、
前記揮散剤収容器は、軸方向の両側の端部が開口する筒形状の容器本体と、前記容器本体の両側の開口を封止し、かつ使用時に前記容器本体の両側から取り外される２つの封止部材と、を備え、
２つの前記封止部材は、前記開口を覆うように形成されている端面部と、前記端面部から前記容器本体の内部に向かって軸方向に延びるように形成されている筒形状の挿入部と、を含み、
前記端面部は、前記挿入部と連接する曲面部を有し、前記曲面部は、前記挿入部に向けて開口が小さくなるように湾曲し、
前記揮散剤は、２つの前記封止部材の前記端面部と接触するように前記容器本体の内部に充填されており、
前記容器本体の軸方向を水平にして使用され、前記揮散剤の揮散面が水平方向を向くように形成されている、揮散器。
【請求項２】
前記封止部材は、熱可塑性樹脂で形成されている、請求項１に記載の揮散器。
【請求項３】
前記端面部全体が曲面状に形成されている、請求項１又は２に記載の揮散器。
【発明の詳細な説明】
【技術分野】
【０００１】
本発明は、揮散器に関する。
【背景技術】
【０００２】
近年、居間や自動車の車内などの居住空間に香りを付与したり、居住空間に殺虫成分を放出したりするために、芳香性または防虫性を有する揮散性物質を居住空間に放出する揮散器が知られている。このような揮散剤としては、取り扱いが容易であり、また安全性が高いことから、ゲル状揮散剤が多用されている。ゲル状揮散剤は、例えば、高温の水に、ゲル化剤、揮散性物質などを溶解または分散した揮散剤溶液をゲル状としたものである。高温の揮散剤溶液は、容器に配置されて冷却される。揮散剤溶液は、冷却と同時に容器に対応した形状に固化して成型される。
【０００３】
特開平８−１９６６１２号公報においては、薬剤ゲルを容器本体と蓋体とからなる薬剤容器の内部に収容し、薬剤が容器に設けられた開口部から外部に揮散するように形成し、収容装置を反転させた場合に薬剤ゲルが蓋体に落下して、薬剤ゲルの空気接触面積が変化する収容装置が開示されている。
【特許文献１】特開平８−１９６６１２号公報
【発明の開示】
【発明が解決しようとする課題】
【０００４】
揮散剤の揮散剤収容器が、たとえば、熱可塑性の樹脂等で形成されている場合には、高温の揮散剤溶液を揮散剤収容器に注入したときに、熱の影響で容器が変形する場合があった。揮散剤収容器は、変形にともなって容積が変わってしまう。このため、揮散剤収容器に所望の容積とは大きく異なる量の揮散剤溶液が注入されてしまうという問題があった。または、揮散剤容器の変形に伴って揮散剤が変形してしまって、揮散剤の美観が悪化するという問題があった。揮散剤収容器に平面状の部分がある場合には、この部分が特に変形しやすくなるという問題があった。
【０００５】
揮散剤収容器の変形を抑制するためには、揮散剤収容器を型枠などにはめた状態で、揮散剤溶液を注入することが考えられる。しかしながら、揮散剤溶液の温度が下がって十分に冷却されるまでに相当の時間を要するため、この方法では、長い時間、型枠に揮散剤収容器を配置しておかなくてはならず生産性が悪いという問題があった。
【０００６】
本発明は、揮散剤溶液を注入するときの変形を抑制する揮散器を提供することを課題とする。
【課題を解決するための手段】
【０００７】
本発明の揮散器は、揮散剤収容器と、前記揮散剤収容器に収容されているゲル状の揮散剤とを備える。揮散剤収容器は、軸方向の両側の端部が開口する筒形状の容器本体と、容器本体の両側の開口を封止し、かつ使用時に容器本体の両側から取り外される２つの封止部材とを備える。２つの封止部材は、開口を覆うように形成されている端面部と、端面部から容器本体の内部に向かって軸方向に延びるように形成されている筒形状の挿入部とを含む。端面部は、挿入部と連接する曲面部を有し、曲面部は、挿入部に向けて開口が小さくなるように湾曲している。揮散剤は、２つの封止部材の端面部と接触するように容器本体の内部に充填されており、前記容器本体の軸方向を水平にして使用され、前記揮散剤の揮散面が水平方向を向くように形成されている。
【０００８】
上記発明において好ましくは、封止部材は、熱可塑性樹脂で形成されている。
【発明の効果】
【００１０】
本発明によれば、揮散剤溶液を注入するときの変形を抑制する揮散器を提供することができる。
【発明を実施するための最良の形態】
【００１１】
図１から図６を参照して、実施の形態における揮散剤収容器および揮散器について説明する。
【００１２】
図１は、本実施の形態における揮散器の概略斜視図を示す。矢印５１は、水平方向を示す。矢印５２は、鉛直方向を示す。本実施の形態における揮散器１は、外ケース２を備える。外ケース２の内部には、揮散剤を収容するための揮散剤収容器３が配置されている。本実施の形態においては、揮散剤収容器３の軸方向の両側から、外ケース２が嵌め込まれている。
【００１３】
図２に、本実施の形態における外ケースの概略斜視図を示す。本実施の形態における外ケース２は、正面から見たときに、ほぼ四角形になるように形成されている。外ケース２の端面には、開口部２ａが形成されている。開口部２ａは、揮散剤が外気と接触するための空間を構成する。本実施の形態における開口部２ａは、正面から見たときに、ほぼ四角形になるように形成されている。
【００１４】
図３に、本実施の形態における揮散剤収容器の概略斜視図を示す。本実施の形態における揮散剤収容器３は、容器本体１１を備える。容器本体１１の両側には、容器本体１１の開口を封止する封止部材として、キャップ１２，１３が配置されている。
【００１５】
図４に、本実施の形態における揮散剤収容器の概略断面図を示す。図５に、本実施の形態における揮散剤収容器の概略分解斜視図を示す。図４は、揮散剤収容器３の内部に揮散剤１０が配置されている状態を示している。
【００１６】
図３から図５を参照して、本実施の形態における容器本体１１は、筒状に形成されている。本実施の形態における容器本体１１は、円筒状に形成されている。容器本体１１の周りには、リブ１６が形成されている。リブ１６は、容器本体１１を補強すると共に、外ケース２の形状に対応するように形成されている。リブ１６が形成されていることにより、外ケース２の内部で容器本体１１が回転することが防止される。揮散器１は、揮散性物質を含む揮散剤１０を備える。揮散剤１０は、容器本体１１の内部に配置されている。
【００１７】
本実施の形態における揮散剤１０は、ゲル状の芳香剤である。ゲル状の揮散剤は、例えば、水に、ゲル化剤、界面活性剤、揮散性物質、芳香成分などを溶解または分散した水溶液をゲル状としたものである。芳香成分としては、任意のものを採用することができる。たとえば、芳香成分としては、天然香料や合成香料などを使用することができる。
【００１８】
容器本体１１の端部の外周面には、ねじ部１１ａが形成されている。ねじ部１１ａは、キャップ１２，１３のそれぞれが係合するように形成されている。本実施の形態における容器本体１１は、揮散剤溶液を容器本体１１の内部に注入するための注入口２１を有する。注入口２１は、容器本体１１の胴部に形成されている。注入口２１は、キャップ１２，１３が係合する領域を避けた位置に配置されている。注入口２１は、容器本体１１を貫通している。注入口２１は、蓋２３にて封止される。
【００１９】
本実施の形態における容器本体１１は、使用時に揮散剤１０の形状を保持するための保持部材２２を有する。保持部材２２は、帯状に形成されている。保持部材２２は、容器本体１１の内周面に沿って配置されている。保持部材２２は、容器本体１１に固定されている。容器本体１１の内部に保持部材２２が配置されていることにより、使用中に揮散剤１０の形状が崩れることを抑制できる。
【００２０】
本実施の形態における揮散剤収容器３は、一方の封止部材としてのキャップ１２を備える。揮散剤収容器３は、他方の封止部材としてのキャップ１３を備える。キャップ１２，１３は、容器本体１１の軸方向の両側からねじ込まれて固定される。本実施の形態におけるキャップ１２，１３は、熱可塑性の樹脂で形成されている。本実施の形態においては、ポリプロピレン（ＰＰ）で形成されている。
【００２１】
キャップ１３は、端面部１３ａを有する。端面部１３ａは、容器本体１１の開口を覆うように形成されている。本実施の形態における端面部１３ａは、平面状の部分を有する。キャップ１３は、挿入部１３ｃを有する。挿入部１３ｃは、容器本体１１の内部に向かって容器本体１１の軸方向に延びるように形成されている。挿入部１３ｃは、筒状に形成されている。本実施の形態における挿入部１３ｃは、円筒状に形成されている。挿入部１３ｃの先端には、キャップ１２の挿入部１２ｃと嵌合するための嵌合部１３ｄが形成されている。嵌合部１３ｄは、凸形状になるように形成されている。
【００２２】
本実施の形態におけるキャップ１３の端面部１３ａは、挿入部１３ｃに連接する曲面部１３ｂを有する。曲面部１３ｂは、角の形状を有しないように曲面状に形成されている。本実施の形態における曲面部１３ｂは、断面形状が円弧状になるように形成されている。曲面部１３ｂは、挿入部１３ｃに向けて開口が小さくなるように湾曲している。
【００２３】
本実施の形態におけるキャップ１２は、嵌合部１２ｄの構成を除いてキャップ１３と同様の構成を有する。キャップ１２は、曲面部１２ｂを有する端面部１２ａと、挿入部１２ｃとを有する。キャップ１２の嵌合部１２ｄは、キャップ１３の嵌合部１３ｄの凸形状に対応するように凹形状に形成されている。嵌合部１２ｄは、キャップ１３の嵌合部１３ｄが嵌合するように形成されている。
【００２４】
挿入部１２ｃの先端の嵌合部１２ｄと挿入部１３ｃの先端の嵌合部１３ｄとが、容器本体１１の内部で嵌合することにより、挿入部１２ｃ，１３ｃは揮散剤１０を貫通する。揮散剤１０には、貫通する孔部１０ａが形成される。本実施の形態における孔部１０ａは、円柱状である。
【００２５】
本実施の形態における揮散剤１０は、容器本体１１と挿入部１２ｃ，１３ｃとの間に充填されている。揮散剤１０は、高温の揮散剤溶液の状態で容器本体１１の注入口２１から注入される。容器本体１１に注入されるときの揮散剤溶液の温度は、たとえば７０℃である。揮散剤溶液が注入された後に蓋２３にて施栓される。揮散剤溶液は、冷却と共に固化される。
【００２６】
図１から図５を参照して、本実施の形態における揮散器は、容器本体の軸方向を略水平にして使用される。たとえば、揮散器が水平方向に延びる平坦な面に載置されたときには、揮散面は水平方向に向くように形成されている。
【００２７】
本実施の形態における揮散器は、使用する時には、始めに外ケース２を取り外す。次に、容器本体１１からキャップ１２，１３を取り外す。キャップ１２，１３の挿入部１２ｃ，１３ｃが円筒形状に形成されていることにより、揮散剤１０を傷つけずに滑らかにキャップ１２，１３を取り外すことができる。揮散剤１０には、孔部１０ａが形成される。容器本体１１の端部から揮散剤の揮散面が露出する。次に、容器本体１１に対して、再び外ケース２を嵌め込む。外ケース２の開口部２ａから揮散剤１０の揮散面が露出する状態で、揮散器を使用する。
【００２８】
本実施の形態における揮散器は、揮散剤の揮散面が横方向を向くように形成されている。この構成により、揮散剤と空気とが接触する効率を高めることができて、揮散剤の揮散効果を高めることができる。たとえば、容器が縦長の揮散器において、容器の上端が開口している場合には、揮散剤が減量することにより、揮散面上を流れる空気の流れが悪くなってしまう。しかしながら、本実施の形態における揮散器は、揮散面が横方向を向いているために、横方向の空気の流れを阻害することなく高い揮散効果を持続することができる。
【００２９】
本実施の形態における揮散剤１０には、孔部１０ａが形成されている。この構成により、揮散面を大きくすることができる。孔部１０ａの内面も揮散面とすることができて揮散剤の揮散効果を高めることができる。本実施の形態においては、揮散剤１０の一方の端面から他方の端面まで貫通するように孔部１０ａが形成されているために、揮散面をより大きくすることができる。
【００３０】
本実施の形態における封止部材としてのキャップは、揮散剤溶液が容器本体に注入されたときの変形を抑制することができる。
【００３１】
図６に、本実施の形態における参考例としての揮散剤収容器の端部の概略断面図を示す。参考例としての揮散器は、キャップ１４を備える。キャップ１４は、端面部１４ａを有する。端面部１４ａは平面状に形成されている。キャップ１４は、挿入部１４ｃを有する。キャップ１４は、端面部１４ａと挿入部１４ｃとの間に角部１４ｂを有する。角部１４ｂは、角となる部分である。
【００３２】
キャップ１４を備える揮散剤収容器に高温の揮散剤溶液が注入されたときには、キャップ１４が変形してしまっていた。特に、揮散剤溶液の圧力により、端面部１４ａの部分が外側に向かって膨らんでしまっていた。この結果、揮散剤収容器に規定の量よりも多い揮散剤溶液が注入されてしまっていた。
【００３３】
また、揮散剤溶液を注入したときの揮散剤収容器の変形に伴って、成型される揮散剤に変形が生じる。キャップ１４の内面に接触する部分は、揮散剤の揮散面になる。このために揮散面が変形する。本実施の形態における揮散器において、前述のように揮散面を露出して使用するときに、変形した揮散面が露出されて美観が悪化するという問題があった。
【００３４】
図４を参照して、本実施の形態における揮散剤収容器は、それぞれのキャップ１２，１３の端面部１２ａ，１３ａに曲面部１２ｂ，１３ｂが形成されているために、揮散剤溶液からキャップ１２，１３に加わる圧力を、曲面部１２ｂ，１３ｂ全体に分散することができる。この結果、端面部１２ａ，１３ａの変形を抑制することができて、規定の量よりも多い揮散剤溶液が注入されることを抑制できる。また、揮散剤の揮散面の変形を抑制することができて、美観の悪化を抑制することができる。
【００３５】
キャップの変形を抑制するためには、キャップの肉厚を厚くすることが考えられる。しかしながら、キャップの肉厚を厚くすることにより、材料が多く必要になる。また、本実施の形態における揮散器は、キャップを透明な部材で形成することにより、キャップを通して揮散剤を目視することができる。キャップの肉厚が厚くなると、キャップの透明度が低くなって揮散剤を鮮明に見ることができなくなる。しかしながら、本実施の形態における揮散器は、キャップの肉厚を厚くすることなく変形を抑制することができる。
【００３６】
従来の技術における揮散器においては、揮散剤の揮散面は美しいものではなく、揮散面の上にカバー等を設けて揮散面が見えないように形成されていた。本実施の形態における揮散器は、揮散剤の揮散面が端面部と接触しているため、開封時の揮散面を綺麗にすることができ、揮散面を露出して外側から目視できるようにすることができる。この結果、揮散面を見えなくするためのカバー等が不要になり、揮散剤の揮散効果を高めることができる。
【００３７】
本実施の形態における封止部材としてのキャップは、熱可塑性の樹脂で形成されている。この構成により、揮散剤溶液が揮散剤収容器に注入されたときに容器の変形を抑制する効果が顕著になる。揮散剤収容器の材質としては、この形態に限られず、ＰＥＴ（ポリエチレンテレフタレート）、ＰＥＮ（ポリエチレンナフタレート）、ＰＣ（ポリカーボネート）などの種々の樹脂を用いることができる。また、揮散剤収容器の材質としては、樹脂に限られずに任意の材質を用いることができる。
【００３８】
揮散剤収容器に内部に充填される揮散剤としては、揮散剤収容器に注入されるときの温度が高いと、本発明の効果が顕著になる。たとえば、揮散剤収容器に注入されるときの揮散剤溶液の温度が５０℃以上であるときに本発明の効果が顕著になる。また、揮散剤収容器が樹脂で形成されている場合に、封止部材の肉厚が薄いと本発明の効果が顕著になる。たとえば、封止部材が樹脂で形成され、肉厚が１ｍｍ以下の場合に本発明の効果が顕著になる。
【００３９】
本実施の形態における揮散剤収容器のキャップは、端面部の一部が平面状であるが、この形態に限られず、端面部全体が曲面状に形成されていても構わない。この構成により、湾曲する部分が多くなって、より効果的にキャップの変形を抑制することができる。
【００４０】
本実施の形態における容器本体は、軸方向の両側の端部が開口しているが、この形態に限られず、軸方向の一方の端部が開口しており、他方の端部が閉塞していても構わない。また、キャップの挿入部は揮散剤を貫通しているが、この形態に限られず、挿入部は揮散剤を貫通していなくても構わない。
【００４１】
本実施の形態における揮散器は、据え置き型の揮散器であるが、この形態に限られず、任意の揮散器に本発明を適用することができる。たとえば、吊り下げ式の揮散器に本発明を適用することができる。
【００４２】
本実施の形態における揮散剤は、芳香剤であるが、この形態に限られず、任意の揮散剤を用いることができる。揮散剤としては、たとえば、消臭剤、防虫剤または防腐剤などを用いることができる。
【００４３】
本実施の形態における容器本体は、断面視したときの形状が略円形になるように形成されているが、この形状に限定されず、例えば、断面視したときの形状が略四角形や略五角形等の種々の形状に形成されていてもよい。また、揮散剤の孔部の断面視したときの形状についても、略五角形等の種々の断面形状を採用することができる。
【００４４】
上記に記載の実施の形態は、本発明を限定するものではなく例示である。また、それぞれの図において、同一の部分または相当する部分には同一の符号を付している。
【図面の簡単な説明】
【００４５】
【図１】実施の形態における揮散器の概略斜視図である。
【図２】実施の形態における外ケースの概略斜視図である。
【図３】実施の形態における揮散剤収容器の概略斜視図である。
【図４】実施の形態における揮散剤収容器の概略断面図である。
【図５】実施の形態における揮散剤収容器の概略分解斜視図である。
【図６】実施の形態における参考例としての揮散剤収容器の端部の概略断面図である。
【符号の説明】
【００４６】
１  揮散器
２  外ケース
２ａ  開口部
３  揮散剤収容器
１０  揮散剤
１０ａ  孔部
１１  容器本体
１２，１３，１４  キャップ
１２ａ，１３ａ，１４ａ  端面部
１２ｂ，１３ｂ  曲面部
１２ｃ，１３ｃ，１４ｃ  挿入部
１２ｄ，１３ｄ  嵌合部
１４ｂ  角部
１６  リブ
２１  注入口
２２  保持部材
２３  蓋
５１，５２  矢印
【図１】
0005627167.tif 000002
【図２】
0005627167.tif 000003
【図３】
0005627167.tif 000004
【図４】
0005627167.tif 000005
【図５】
0005627167.tif 000006
【図６】
0005627167.tif 000007